(57)【要約】【課題】１粒の長粒種子を種子分離孔に確実に分離できる播種機を提供する。【解決手段】ホッパーが本体部に着脱可能に取り付けられる播種機であって、ホッパー（１０）が、種子が収容される容器と、容器の底部を形成し、種子落下口を有するベースと、容器の上部を覆う蓋と、容器内に交換可能に取り付けられて、駆動部により間歇回動され、外周部に等間隔に形成された種子分離孔を有する目皿と、容器内の種子に振動を与える振動体と、ベースに設けられ、種子分離孔の底部を開放して、種子分離孔内に分離された種子を下方に落し込む種子落下口と、からなり、本体部に前記容器内の種子に振動を与える振動体（３）が備えられると共に、種子分離孔（１８）が縦長に形成され、１粒の長粒種子が種子分離孔（１８）に縦向きに分離される。【選択図】図９
2020198806.tif 000002
【特許請求の範囲】
【請求項１】
ホッパー（１０）が本体部（５）に着脱可能に取り付けられる播種機であって、前記ホッパー（１０）が、
種子が収容される容器（１２）と、
前記容器の底部を形成し、種子落下口（１７）を有するベース（１６）と、
前記容器の上部を覆う蓋（１１）と、
前記容器内に交換可能に取り付けられて、駆動部により間歇回動され、外周部に等間隔に形成された種子分離孔（１８）を有する目皿（１５）と、
前記ベース（１６）に設けられ、前記種子分離孔（１８）の底部を開放して、前記種子分離孔（１８）内に分離された種子（２０）を下方に落し込む種子落下口（１７）と、からなり、
前記本体部に前記容器内の種子に振動を与える振動体（３）が備えられると共に、前記種子分離孔（１８）が縦長に形成され、１粒の長粒種子が前記種子分離孔（１８）に縦向きに分離されることを特徴とする播種機。
【請求項２】
前記目皿（１５）は、複数の積層した板材で構成されることを特徴とする請求項１に記載の播種機。
【発明の詳細な説明】
【技術分野】
【０００１】
本発明は、播種機に係り、より詳しくは、１粒の長粒種子を良好に分離できる播種機に関する。
【背景技術】
【０００２】
特許文献１に示す播種機は、目皿に種子分離孔が設けられ、種子を入れたホッパー内の底部で目皿が回動すると、種子分離孔に分離された複数個の種子が落下口から下に落下する構造である。播種機は、特許文献２に示すような整列播種装置の水平支持棒に複数台が設置され、種子の左右方向と前後方向の間隔を正確にあけて、種子を地面に播く。
【０００３】
これまで播種機は、種子径が５ｍｍ以下の小粒のものが多かった。小粒の種子は、コーティング等により発芽率が向上したので、間引く本数を少なくするため、粒数を正確に分離することが播種機に求められた。最近では、播種機に落花生やインゲンなどの大粒の長粒種子を１粒ずつ分離することが求められている。
【先行技術文献】
【特許文献】
【０００４】
【特許文献１】実用新案登録第３１３１０５３号公報
【特許文献２】特開２０１８−０４６７５６号公報
【発明の概要】
【発明が解決しようとする課題】
【０００５】
本発明の目的は、１粒の長粒種子を種子分離孔に確実に分離できる播種機を提供することにある。
【課題を解決するための手段】
【０００６】
本発明による播種機は、ホッパー（１０）が本体部（５）に着脱可能に取り付けられる播種機であって、前記ホッパー（１０）が、種子が収容される容器（１２）と、前記容器の底部を形成し、種子落下口（１７）を有するベース（１６）と、前記容器の上部を覆う蓋（１１）と、前記容器内に交換可能に取り付けられて、駆動部により間歇回動され、外周部に等間隔に形成された種子分離孔（１８）を有する目皿（１５）と、前記ベース（１６）に設けられ、前記種子分離孔（１８）の底部を開放して、前記種子分離孔（１８）内に分離された種子（２０）を下方に落し込む種子落下口（１７）と、からなり、前記本体部に前記容器内の種子に振動を与える振動体（３）が備えられると共に、前記種子分離孔（１８）が縦長に形成され、１粒の長粒種子が前記種子分離孔（１８）に縦向きに分離されることを特徴とする。
【０００７】
前記目皿（１５）は、複数の積層した板材で構成されることを特徴とする。
【発明の効果】
【０００８】
本発明による播種機によれば、目皿の種子分離孔を縦長構造とし、長粒な種子を縦向きに分離し、ホッパーに振動体による振動を加えたので、１粒を確実に分離できる。しかも種子の分離性能が格段によい。
【０００９】
目皿（１５）が複数の積層した板材で構成されるので、種子のサイズに合わせ、色々な形状の種子分離孔を有する目皿にできる。目皿の種子分離孔を大粒用にも小粒用にもでき、種子のサイズに合わせて目皿を変更することができる。
【図面の簡単な説明】
【００１０】
【図１】本発明による播種機の斜視図である。
【図２】播種機からホッパーを取り外して分解した分解斜視図である。
【図３】複数の播種機を整列播種装置に取り付けた例である。
【図４】種子分離孔の開口部を略Ｕ字形とした目皿の平面図である。
【図５】種子分離孔の開口部を略四角形とした目皿の正面図である。
【図６】ベースに目皿を取り付けた時の斜視図である。（Ａ）は図６の目皿を使用した場合、（Ｂ）は図５の目皿を使用した場合である。
【図７】目皿の種子分離孔の断面形状を示す例である。
【図８】目皿の種子分離孔の断面形状を示す例である。
【図９】目皿の種子分離孔の断面形状を示す例である。
【図１０】長粒種子と種子分離孔の関係を示す説明図である。
【発明を実施するための形態】
【００１１】
以下、図面を参照して、本発明による播種機を詳しく説明する。
【実施例】
【００１２】
図１は、本発明による播種機１００の斜視図である。播種機１００は、正面側に種子が投入されるホッパー１０が設けられる。ホッパー１０は、本体部５に着脱可能に取り付けられる。ホッパー１０に種子を投入する時は、蓋１１を外す。本体部５は、上部に左右方向に貫通するスライド孔４があり、整列播種装置の水平支持棒５１を装入する。水平支持棒５１に沿って播種機１００をスライドさせて播種機１００の位置決めを行なう。位置が確定したら、スライド位置固定ハンドル２を回して播種機１００を水平支持棒５１に固定する。スライド孔４は、上下方向に長さのある大きな孔に形成されており、上下位置調整ハンドル１を回して、本体部５を上下動させることができる。これによれば、本体部５の下側に溝堀板（図示せず）が装着される場合、溝の深さを種子に合わせて調節できる。
【００１３】
図２は、図１の播種機１００からホッパー１０を取り外して分解した分解斜視図である。ホッパー１０は、種子が収容される底のない容器１２と、容器１２の底部を形成するベース１６と、容器の上部を覆う蓋１１と、容器１２内に設ける目皿１５と、を含んで構成される。目皿１５の材質は金属とできるが、これに限らず樹脂とすることもできる。目皿１５は、固定キャップ１３と目皿押さえ１４で、ベース１６に固定される。目皿１５は、本体部５の内部の駆動部（図示せず）のモータで間歇回動される。目皿１５の外周部には、等間隔に種子分離孔１８を有する。
【００１４】
本実施例では、目皿１５は、外周部に１０個の種子分離孔１８を設けた。ベース１６には、種子分離孔１８の底部を開放し、分離された種子を下方に落下させる種子落下口１７がある。種子落下口１７の上を種子分離孔１８が通過する場合、種子分離孔１８には底がないことになるので、種子が下方に落下する。目皿１５の回転速度は、多種に設定できる。
【００１５】
本実施例では、本体部５に振動体３を取付けた。振動体３は、小型の直流モータからなり、モータの軸には、軸の周囲を回転する重りを付けた。振動体３によって容器１２に振動を与え、種子が種子分離孔１８に入りやすくする。
【００１６】
図３は、複数の播種機１００を整列播種装置５０に取り付けた例である。４台の播種機１００を水平支持棒５１に横一列となるように取り付けた。水平支持棒５１は、上下動可能である。また、上下位置調整ハンドル１を回しても本体部５を上下動させることができる。
【００１７】
図４は、種子分離孔１８の開口部を略Ｕ字形とした目皿１５の平面図である。この目皿は、小粒の種子の分離に使用される。開口部は、丸型の直径（＝２×Ｒ）を有するサイズである。
【００１８】
図５は、種子分離孔１８の開口部を略四角形とした目皿１５の正面図である。この目皿は、粒の大きい種子の分離に使用される。開口部は、幅（＝Ｌ）を有するサイズである。
【００１９】
図６は、ベース１６に目皿１５を取り付けた時の斜視図である。（Ａ）は図６の目皿を使用した場合、（Ｂ）は図５の目皿を使用した場合である。図６に示すように、目皿１５は交換可能な複数の板材からなり、これを積層したものである。種子の形状によって、目皿１５を交換する。また、１回の落下で何粒の種子を落下させるかによっても、目皿１５を交換する。
【００２０】
図７〜９は、目皿１５の種子分離孔１８の断面形状を示す例である。断面は、図５、６のＡ−Ａ線の箇所である。複数の板材を組み合わせることで、種子分離孔１８を（Ａ）〜（Ｆ）のように形成できる。２０ａ、２０ｂ、２０ｃ、２０ｄ、２０ｅは、種子の形状で示している。
【００２１】
図９（Ｆ）は、縦（Ａ）が１８ｍｍ、横（Ｂ）が１０ｍｍ程度の長粒種子２０ｅの場合である。このような長粒種子には、落花生やインゲン科のうずら豆などがある。落花生は、縦が横より長い。縦は１７〜２１ｍｍとばらつきがあるが、横は約１１ｍｍとほとんど変化がない。そのため、種子は、種子分離孔１８に縦向きに収容するとした。種子分離孔１８は、深さが１８ｍｍで、上部開口部と下部開口部の径が共に１３ｍｍである。板厚が５ｍｍのもの３枚と、３ｍｍのもの１枚を積層している。
【００２２】
図１０は、長粒種子２０ｆと種子分離孔１８の関係を示す説明図である。図は種子分離孔１８の１つを平面図で示している。図１０（Ａ）に示すように、種子分離孔１８に横向きに長粒種子２０ｆが入るサイズ（Ｌ１）にすると、２粒の長粒種子２０ｆが縦に種子分離孔１８に入ることがあり、１粒の長粒種子の分離ができない。そこで、図１０（Ｂ）に示すように、種子分離孔１８に１粒の長粒種子２０ｆが縦に入るようなサイズ（Ｌ２）にした。これによれば、１粒の長粒種子２０ｆが種子分離孔１８に入ると、他の長粒種子２０ｆは種子分離孔１８に入ることができない。
【００２３】
本実施例によれば、目皿を交換可能な複数の板材を積層して構成したので、種子のサイズに合わせて、大粒用にも小粒用にも目皿を変更できる。長粒種子に対しては、種子分離孔１８を縦長に形成し、１粒の種子を縦向きに分離する。振動体を設けて容器内の種子に振動を与えたので、種子を種子分離孔に良好に分離できる。落花生などの長粒種子１粒を確実に分離できる。
【産業上の利用可能性】
【００２４】
本発明は、種子分離性能に優れ、１粒の長粒種子を良好に分離できる播種機として好適である。
【符号の説明】
【００２５】
１    上下位置調整ハンドル
２    スライド位置固定ハンドル
３    振動体
４    スライド孔
５    本体部
１０    ホッパー
１１    蓋
１２    容器
１３    固定キャップ
１４    目皿押さえ
１５    目皿
１６    ベース
１７    種子落下口
１８    種子分離孔
２０    種子
２０ａ    直径が１．５ｍｍ程度の種子
２０ｂ    直径が３〜４ｍｍ程度の種子
２０ｃ    直径が５〜６ｍｍ程度の種子
２０ｄ    直径が７〜８ｍｍ程度の種子
２０ｅ    形状がいびつで、縦横幅が１０ｍｍ、厚さが５ｍｍ程度の種子
２０ｆ    縦が１８ｍｍ、横が１０ｍｍ程度の長粒種子
５０    整列播種装置
５１    水平支持棒
１００    播種機
Ｒ    開口部の半径
Ｌ    開口部の幅
【図１】
2020198806.tif 000003
【図２】
2020198806.tif 000004
【図３】
2020198806.tif 000005
【図４】
2020198806.tif 000006
【図５】
2020198806.tif 000007
【図６】
2020198806.tif 000008
【図７】
2020198806.tif 000009
【図８】
2020198806.tif 000010
【図９】
2020198806.tif 000011
【図１０】
2020198806.tif 000012